(57)【要約】【課題】被写体の模様をフリッカと誤判別することなく、フリッカに起因する明暗縞を精度良く検出することができる撮像装置を提供する。【解決手段】フリッカ検出回路１０８は、周波数成分検出回路１０７により検出された、画面中の分割された１つの枠内の画像の周波数成分を検出する（Ｓ１）。検出した周波数成分が一定以下の周波数である場合、フリッカ検出回路１０８は、その枠をフリッカ検出候補枠として決定し（Ｓ３）、検出した周波数成分が一定の周波数を超える場合、フリッカ検出回路１０８は、その枠をフリッカ検出候補枠として設定しない（Ｓ４）。全ての枠について検出すると、フリッカ検出回路１０８は、フリッカ検出候補枠と決定された枠の画像を用い、フリッカの有無およびその周期を検出する（Ｓ６）。検出されたフリッカの有無およびその周期を基に、フリッカ補正回路１０９はフリッカ補正を行う。【選択図】図１
2009194835.tif 000002
【特許請求の範囲】
【請求項１】
撮像素子により光学像を光電変換して映像信号を得る撮像装置であって、
前記映像信号を複数の枠の領域に分割し、前記枠内の画像の周波数成分をそれぞれ検出する周波数成分検出手段と、
前記検出された周波数成分と所定の周波数とを比較する比較手段と、
前記比較の結果、前記検出された周波数成分が前記所定の周波数以下であった前記枠内の画像を使用し、フリッカ情報を検出するフリッカ検出手段とを備えたことを特徴とする撮像装置。
【請求項２】
前記検出されたフリッカ情報に基づき、前記映像信号中のフリッカを補正するフリッカ補正手段を備えたことを特徴とする請求項１記載の撮像装置。
【請求項３】
前記フリッカ検出手段は、前記検出された前記枠内の画像の周波数成分が所定の周波数以下であった前記枠の数が所定値以上であった場合、前記フリッカ情報を検出し、一方、前記所定値に満たない場合、前記フリッカ情報を検出しないことを特徴とする請求項１記載の撮像装置。
【請求項４】
前記撮像素子によって撮像される光学像の明るさを調節する絞り手段を備え、
前記検出された前記枠内の画像の周波数成分が所定の周波数以下であった前記枠の数が所定値に満たなかった場合、前記絞り手段を開放にすることを特徴とする請求項１記載の撮像装置。
【請求項５】
前記撮像素子への入射光の開閉を行うシャッタ手段を備え、
前記検出された前記枠内の画像の周波数成分が所定の周波数以下であった前記枠の数が所定値に満たなかった場合、前記シャッタ手段を所定速度より低速にすることを特徴とする請求項１記載の撮像装置。
【請求項６】
前記検出された前記枠内の画像の周波数成分が所定の周波数以下であった前記枠が垂直方向に途切れることなく揃った場合、前記フリッカ検出手段は、前記フリッカ情報を検出することを特徴とする請求項３記載の撮像装置。
【請求項７】
前記検出された前記枠内の画像の周波数成分が所定の周波数以下であった前記枠が垂直方向に途切れて揃わなかった場合、前記絞り手段を開放にすることを特徴とする請求項４記載の撮像装置。
【請求項８】
前記検出された前記枠内の画像の周波数成分が所定の周波数以下であった前記枠が垂直方向に途切れて揃わなかった場合、前記シャッタ手段を所定速度より低速にすることを特徴とする請求項５記載の撮像装置。
【請求項９】
前記検出される周波数成分は、垂直方向および水平方向の少なくとも一方であることを特徴とする請求項１乃至７のいずれかに記載の撮像装置。
【請求項１０】
前記所定の周波数は可変自在であることを特徴とする請求項１乃至８のいずれかに記載の撮像装置。
【請求項１１】
撮像素子により光学像を光電変換して映像信号を得る撮像装置のフリッカ検出方法であって、
前記映像信号を複数の枠の領域に分割し、前記枠内の画像の周波数成分をそれぞれ検出する周波数成分検出ステップと、
前記検出された周波数成分と所定の周波数とを比較する比較ステップと、
前記比較の結果、前記検出された周波数成分が前記所定の周波数以下であった前記枠内の画像を使用し、フリッカ情報を検出するフリッカ検出ステップとを有することを特徴とする撮像装置のフリッカ検出方法。
【発明の詳細な説明】
【技術分野】
【０００１】
本発明は、撮影時におけるフリッカの検出を行う撮像装置及びそのフリッカ検出方法に関する。
【背景技術】
【０００２】
従来、ビデオカメラやデジタルビデオカメラにおいては、光学像を光電変換するものとして、ＣＣＤセンサが多く使われてきた。
【０００３】
近年、ハイビジョン撮影や高画素静止画撮影が求められてきているが、ＣＣＤセンサの場合、水平転送周波数が高くなるので、電荷の転送劣化が大きくなる。このため、ＣＣＤセンサは高速転送に不向きである。
【０００４】
このような用途においては、上記理由により、高速読み出しが可能な、ＸＹアドレス型ＣＭＯＳセンサ（以下、ＣＭＯＳセンサという）が使われ始めている。
【０００５】
ＣＣＤセンサとＣＭＯＳセンサとでは、それらの駆動方式の違いにより、画素の露光のタイミングが異なる。すなわち、ＣＣＤセンサの場合、全ての画素をフィールドもしくはフレーム毎に同時に露光し、光電変換して電荷蓄積を行う。一方、ＣＭＯＳセンサの場合、ライン毎に順々に露光し、電荷蓄積を行う。
【０００６】
太陽光や電球などの連続発光光源である場合、露光時間ごとの電荷蓄積量は同じであるが、蛍光灯などの点滅光源である場合、露光時間と点滅周期が異なった際、画面上に明暗が発生する。
【０００７】
ＣＣＤセンサの場合、画面の露光ごとの蓄積時間が異なることになるので、画面全体の明滅がフリッカとして現れる。一方、ＣＭＯＳセンサの場合、画面のラインごとの蓄積時間が異なることになるので、図９に示すように、画面中の上下方向の輝度のうねりがフリッカとして現れる。図９は画面中の上下方向の輝度のうねりとして現れるフリッカを示す図である。
【０００８】
このようなフリッカが発生すると、画質が劣化して見た目が良くないので、フリッカの発生を検出し、補正を行う必要がある。
【０００９】
フリッカの検出においては、ＣＣＤセンサの場合、各フレームの画面全体の平均輝度の変動により、フリッカの発生の有無を検出していた。一方、ＣＭＯＳセンサの場合、フリッカは、画面中の横縞として現れるので、この方法では十分に検出することができない。
【００１０】
このため、従来では、画面中の周波数成分を検出し、フリッカの横縞の周波数成分を抽出することで、フリッカの検出が行われていた。このような技術を用いたものとして、特許文献１に記載のものが知られている。
【特許文献１】特開２００４−００７４０２号公報
【発明の開示】
【発明が解決しようとする課題】
【００１１】
しかしながら、上記従来の撮像装置では、次のような問題があった。ＣＭＯＳセンサにおいては、前述したように、蛍光灯などの点滅光源の場合、画面の上下方向の輝度のうねり、つまり横縞がフリッカとして現れる。このようなフリッカを検出する場合、フリッカの横縞の周波数成分を抽出することで検出が行われるが、画面中に細かい模様、特に横縞を持つ被写体では、横縞が被写体の模様であるか、光源の点滅によって発生するフリッカであるかを判別することが困難であった。
【００１２】
そこで、本発明は、被写体の高周波の模様をフリッカと誤判別することなく、フリッカに起因する低周波の明暗縞を精度良く検出することができる撮像装置及びそのフリッカ検出方法を提供することを目的とする。
【課題を解決するための手段】
【００１３】
上記目的を達成するために、本発明の撮像装置は、撮像素子により光学像を光電変換して映像信号を得る撮像装置であって、前記映像信号を複数の枠の領域に分割し、前記枠内の画像の周波数成分をそれぞれ検出する周波数成分検出手段と、前記検出された周波数成分と所定の周波数とを比較する比較手段と、前記比較の結果、前記検出された周波数成分が前記所定の周波数以下であった前記枠内の画像を使用し、フリッカ情報を検出するフリッカ検出手段とを備えたことを特徴とする。
【００１４】
本発明の撮像装置のフリッカ検出方法は、撮像素子により光学像を光電変換して映像信号を得る撮像装置のフリッカ検出方法であって、前記映像信号を複数の枠の領域に分割し、前記枠内の画像の周波数成分をそれぞれ検出する周波数成分検出ステップと、前記検出された周波数成分と所定の周波数とを比較する比較ステップと、前記比較の結果、前記検出された周波数成分が前記所定の周波数以下であった前記枠内の画像を使用し、フリッカ情報を検出するフリッカ検出ステップとを有することを特徴とする。
【発明の効果】
【００１５】
本発明の請求項１に係る撮像装置は、映像信号を複数の枠の領域に分割し、前記枠内の画像の周波数成分をそれぞれ検出し、検出された周波数成分が所定の周波数以下であった画像を使用し、フリッカ情報を検出する。これにより、被写体の高周波の模様をフリッカと誤判別することなく、フリッカに起因する低周波の明暗縞を精度良く検出することができる。
【００１６】
請求項２に係る撮像装置によれば、検出したフリッカ情報に基づき、シャッタ速度を光源の点滅周期と同期させたり、あるいはＣＣＤではフレームごとに、ＣＭＯＳではラインごとに、明暗に応じてゲインを増減させることで、フリッカの発生を抑えることができる。
【００１７】
請求項３に係る撮像装置によれば、検出枠候補の数が少なかった場合、サンプル数不足によるフリッカの誤検出を減少させることができる。
【００１８】
請求項４、５に係る撮像装置によれば、フリッカ検出のサンプル数を増加させることができ、フリッカに起因する低周波の明暗縞を精度良く検出することができる。
【００１９】
請求項６に係る撮像装置によれば、フリッカ検出候補枠が垂直方向に途切れ、フリッカ検出のサンプル数不足による誤検出を防ぐことができる。
【００２０】
請求項７に係る撮像装置によれば、絞り手段を開放にすることで、フリッカ検出候補枠が垂直方向に途切れる機会を減らすことができる。
【００２１】
請求項８に係る撮像装置によれば、シャッタ速度を遅くすることで、フリッカ検出候補枠が垂直方向に途切れる機会を減らすことができる。
【００２２】
請求項９に係る撮像装置によれば、フリッカ検出を有効に行うことができる。請求項１０に係る撮像装置によれば、画像の高周波の模様に応じて、フリッカ検出候補枠の数が増減可能である。
【発明を実施するための最良の形態】
【００２３】
本発明の撮像装置及びそのフリッカ検出方法の実施の形態について図面を参照しながら説明する。本実施形態の撮像装置はデジタルカメラに適用される。
【００２４】
［第１の実施形態］
図１は第１の実施形態における撮像装置の構成を示す図である。レンズ１０１は撮像する映像を撮像素子１０４に結像させる。アイリス・メカシャッタ１０２は、入射する光量を制限して明るさを調節するとともに、入射光の開閉を行う。レンズ・アイリス駆動回路１０３は、レンズ１０１およびアイリス・メカシャッタ１０２を駆動する。
【００２５】
撮像素子１０４は、結像した光を光電変換するものであり、ＣＣＤセンサやＣＭＯＳセンサなどで構成される。ＣＤＳ・ＡＧＣ・Ａ／Ｄ回路１０５は、撮像素子１０４の信号に対し、相関二重サンプリング（ＣＤＳ）、ゲインコントロールおよびＡ／Ｄ変換を行う。ＴＧ（タイミング発生器）１０６は、撮像素子１０４やＣＤＳ・ＡＧＣ・Ａ／Ｄ回路１０５に対し、水平・垂直転送パルス、シャッタパルス、サンプルホールド信号、水平・垂直同期信号などを供給する。
【００２６】
周波数成分検出回路１０７は、画面を垂直方向および水平方向の格子状に複数の枠に分割し、それぞれの枠内での垂直方向および水平方向の周波数成分を検出する。なお、検出される周波数成分は、垂直方向および水平方向の少なくとも一方であってもよく、フリッカ検出に有効である。また、検出される周波数成分として、フリッカの検出に関わる周波数成分のうち、例えば、画像中の最大周波数成分であってもよいし、最小周波数成分であってもよい。
【００２７】
フリッカ検出回路１０８は、分割した複数の枠ごとにフリッカ成分を分離して検出する。フリッカ補正回路１０９は、フリッカ検出回路１０８によって検出されたフリッカ成分（フリッカ情報）に基づき、画面全体のゲインもしくは画面のラインごとのゲインを変化させるといった動作を行い、フリッカを補正する。
【００２８】
信号処理回路１１０は、フリッカ補正回路１０９からの画像データを入力し、リサイズ処理、アパーチャ処理、ＷＢ処理、色信号処理などを行い、静止画像および動画像を生成する。システムコントローラ１１１は、レンズ・アイリス駆動回路１０３、ＴＧ１０６、信号処理回路１１０などの制御を行う。
【００２９】
画像入出力コントローラ１１２は、記録媒体１１３を制御し、動画像や静止画像の入出力を行う。記録媒体１１３は、磁気テープ、光ディスク、メモリカードなどである。パネル・ビデオ出力回路１１４は、撮像あるいは再生した画像を表示したり、外部に出力する。撮影スイッチ１１５はユーザが画像記録を指示する際に操作される。
【００３０】
図２は周波数成分検出回路１０７によって複数の枠に分割され、この枠内の周波数成分が一定周波数以下であることが分かるように区別された画面を示す図である。枠３０１は周波数成分が一定周波数以下のものであり、図中、黒い部分で示される。また、枠３０２は周波数成分が一定周波数を超えるものであり、図中、白い部分で示される。ここでは、被写体として人物３０３が含まれる枠は、周波数成分が一定周波数を超える枠３０２となっている。一方、被写体像として背景あるいは花３０４が含まれる枠は、周波数成分が一定周波数以下である枠３０１となっている。一定の周波数としては、例えば、５０Ｈｚ、６０Ｈｚに対応する特定の周波数（１００Ｈｚ、１２０Ｈｚ）近傍の周波数成分が挙げられる。
【００３１】
図３は一定周波数以下の枠の数が図２と異なることが分かるように区別された画面を示す図である。図３では、一定周波数が図２の場合と比べて低く設定されている。従って、図２と比べて、周波数成分が一定周波数以下である枠３０１の数が少なくなっている。このように、しきい値となる一定周波数はある程度の範囲で可変自在であり、予めあるいは適宜、周波数成分検出回路１０７に設定される。従って、画像の高周波の模様に応じて、フリッカ検出候補枠の数が増減可能である。また、一定周波数が固定であっても、後述する制御によって、フリッカ検出候補枠の数を増やすことが可能である。
【００３２】
図４はフリッカ検出動作手順を示すフローチャートである。この動作はフリッカ検出回路１０８によって行われる。まず、フリッカ検出回路１０８は、周波数成分検出回路１０７により検出された、画面中の分割された１つの枠内の画像の周波数成分を検出する（ステップＳ１）。フリッカ検出回路１０８は、枠内の画像から検出した周波数成分と一定以下の周波数とを比較し、検出した周波数成分が一定以下の周波数であるか否かを判別する（ステップＳ２）。このステップＳ２の処理は請求項に記載の比較手段に相当する。
【００３３】
比較の結果、検出した周波数成分が一定以下の周波数である場合、フリッカ検出回路１０８は、その枠をフリッカ検出候補枠として決定する（ステップＳ３）。一方、検出した周波数成分が一定の周波数を超える場合、フリッカ検出回路１０８は、その枠をフリッカ検出候補枠として設定しない（ステップＳ４）。
【００３４】
この後、フリッカ検出回路１０８は、分割した全ての枠について、枠内の画像の周波数成分を検出したか否かを判別する（ステップＳ５）。全ての枠について検出していない場合、フリッカ検出回路１０８はステップＳ１の処理に戻る。一方、全ての枠について検出した場合、フリッカ検出回路１０８は、フリッカ検出候補枠と決定された枠の画像を用い、フリッカの有無およびその周期（フリッカ情報）を検出する（ステップＳ６）。この後、フリッカ検出回路１０８は本処理を終了する。
【００３５】
フリッカ検出回路１０８は、この一連の動作を、撮像中に繰り返し行う。そして、検出されたフリッカの有無およびその周期を基に、フリッカ補正回路１０９は映像信号中のフリッカ補正を行う。
【００３６】
第１の実施形態の撮像装置によれば、上記動作によって、被写体の高周波の模様をフリッカと誤判別することなく、フリッカに起因する低周波の明暗縞を精度良く検出することができる。
【００３７】
［第２の実施形態］
第２の実施形態の撮像装置の構成は前記第１の実施形態と同様であるので、その説明を省略する。前記第１の実施形態と異なる動作について説明する。
【００３８】
図５は第２の実施形態におけるフリッカ検出動作手順を示すフローチャートである。この動作はフリッカ検出回路１０８によって行われる。前記第１の実施形態と同一のステップ処理については同一の符号を付すことによりその説明を省略する。すなわち、Ｓ１〜Ｓ５までの動作は、前記第１の実施形態で説明したとおりである。
【００３９】
ステップＳ５でフリッカ検出候補枠を決定した後、フリッカ検出回路１０８は、検出候補枠の数が一定数以上（所定値以上）であるか否かを判別する（ステップＳ５Ａ）。検出候補枠の数が一定数以上であった場合、フリッカ検出回路１０８は、ステップＳ６でフリッカの有無およびその周期を検出する。
【００４０】
フリッカ検出回路１０８がこの一連の動作を撮像中に繰り返し行い、フリッカ補正回路１０９が検出されたフリッカの有無およびその周期を基に映像信号中のフリッカ補正を行うことは、前記第１の実施形態と同様である。
【００４１】
第２の実施形態の撮像装置によれば、例えば、検出枠候補の数が少なかった場合、サンプル数不足によるフリッカの誤検出を減少させることができる。
【００４２】
［第３の実施形態］
第３の実施形態の撮像装置の構成は前記第１の実施形態と同様であるので、その説明を省略する。前記第１の実施形態と異なる動作について説明する。
【００４３】
図６は第３の実施形態におけるフリッカ検出動作手順を示すフローチャートである。この動作はフリッカ検出回路１０８によって行われる。前記第１、第２の実施形態と同一のステップ処理については同一の符号を付すことによりその説明を省略する。すなわち、Ｓ１〜Ｓ６までの動作は、前記第１、第２の実施形態で説明したとおりである。
【００４４】
ステップＳ５でフリッカ検出候補枠を決定した後、フリッカ検出回路１０８は、検出候補枠の数が一定数以上であるか否かを判別する（ステップＳ５Ａ）。検出候補枠の数が一定数以上であった場合、フリッカ検出回路１０８は、ステップＳ６でフリッカの有無およびその周期を検出する（ステップＳ６）。
【００４５】
一方、検出候補枠の数が一定数に満たなかった場合、フリッカ検出回路１０８は、システムコントローラ１１１にその旨を通知する（ステップＳ７）。この通知を受けると、システムコントローラ１１１は、レンズ・アイリス駆動回路１０３を制御し、アイリスを開放にすると同時にＮＤ（Neutral Density）を追加して光量を制限する。あるいは、システムコントローラ１１１は、ＴＧ１０６を制御し、同時にシャッタ速度を速める。これにより、露出を変えることなく、被写界深度を浅くすることができる。
【００４６】
つまり、ピント面以外の距離にある被写体の画像をぼかす。この動作を行うことで、フリッカ検出候補枠から除外されていた枠の高周波成分が除かれる。フリッカ検出回路１０８が再度この動作を行う際、フリッカ検出候補枠として、高周波成分が除かれたその枠を使用することが可能となる。
【００４７】
フリッカ検出回路１０８がこの一連の動作を撮像中に繰り返し行い、フリッカ補正回路１０９が検出されたフリッカの有無およびその周期を基に映像信号中のフリッカ補正を行うことは、前記第１の実施形態と同様である。
【００４８】
第３の実施形態の撮像装置によれば、フリッカ検出のサンプル数（フリッカ検出候補枠の数）を増加させることができ、フリッカに起因する低周波の明暗縞を精度良く検出することができる。例えば、図３に示すサンプル数（フリッカ検出候補枠の数）では、ステップＳ５Ａの処理によって少ないと判別される場合、ステップＳ７の通知によってアイリスを開放にすることにより、図２に示すようにサンプル数を増やすことが可能である。
【００４９】
［第４の実施形態］
第４の実施形態の撮像装置の構成は前記第１の実施形態と同様であるので、その説明を省略する。前記第１の実施形態と異なる動作について説明する。
【００５０】
図７は第４の実施形態におけるフリッカ検出動作手順を示すフローチャートである。この動作はフリッカ検出回路１０８によって行われる。前記第１、第２、第３の実施形態と同一のステップ処理については同一の符号を付すことによりその説明を省略する。すなわち、Ｓ１〜Ｓ６までの動作は、前記第１、第２の実施形態で説明したとおりである。
【００５１】
ステップＳ５でフリッカ検出候補枠を決定した後、フリッカ検出回路１０８は、検出候補枠の数が一定数以上であるか否かを判別する（ステップＳ５Ａ）。検出候補枠の数が一定数以上であった場合、フリッカ検出回路１０８は、ステップＳ６でフリッカの有無およびその周期を検出する。
【００５２】
一方、検出候補枠の数が一定数に満たなかった場合、フリッカ検出回路１０８は、システムコントローラ１１１にその旨を通知する（ステップＳ７Ａ）。この通知を受けると、システムコントローラ１１１は、ＴＧ１０６を制御し、シャッタを所定速度より低速に変更し、同時にＮＤ（Neutral Density）を追加して光量を制限する。あるいは、システムコントローラ１１１は、レンズ・アイリス駆動回路１０３を制御し、同時にアイリスを絞って光量を制限する。これにより、露出を変えることなく、被写体の動体ボケを増加させることができる。
【００５３】
この動作を行うことで、フリッカ検出候補枠から除外されていた枠の高周波成分が除かれる。フリッカ検出回路１０８が再度この動作を行う際、フリッカ検出候補枠として、高周波成分が除かれたその枠を使用することができる。
【００５４】
フリッカ検出回路１０８がこの一連の動作を撮像中に繰り返し行い、フリッカ補正回路１０９が検出されたフリッカの有無およびその周期を基に映像信号中のフリッカ補正を行うことは、前記第１の実施形態と同様である。
【００５５】
第４の実施形態の撮像装置によれば、フリッカ検出のサンプル数を増加させることができ、フリッカに起因する低周波の明暗縞を精度良く検出することが可能となる。
【００５６】
［第５の実施形態］
第５の実施形態の撮像装置の構成は前記第１の実施形態と同様であるので、その説明を省略する。前記第１の実施形態と異なる動作について説明する。
【００５７】
図８は第５の実施形態におけるフリッカ検出動作手順を示すフローチャートである。この動作はフリッカ検出回路１０８によって行われる。前記第１の実施形態と同一のステップ処理については同一の符号を付すことによりその説明を省略する。すなわち、Ｓ１〜Ｓ６までの動作は、前記第１の実施形態で説明したとおりである。
【００５８】
ステップＳ５でフリッカ検出候補枠を決定した後、フリッカ検出回路１０８は、フリッカ検出候補枠が垂直方向に途切れることなく全部揃ったか否かを判別する（ステップＳ５Ｂ）。フリッカ検出候補枠が垂直方向に途切れることなく全部揃った場合、フリッカ検出回路１０８は、フリッカ検出候補枠と決定された枠の画像のみを用い、フリッカの有無およびその周期（フリッカ情報）を検出する（ステップＳ６Ａ）。この後、フリッカ検出回路１０８は本処理を終了する。
【００５９】
一方、ステップＳ５Ｂで途切れて全部揃わなかった場合、フリッカ検出回路１０８は、フリッカに起因する明暗縞を精度良く検出できなくなるので、フリッカ検出を行わない。この後、フリッカ検出回路１０８は本処理を終了する。
【００６０】
フリッカ検出回路１０８がこの一連の動作を撮像中に繰り返し行い、フリッカ補正回路１０９が検出されたフリッカの有無およびその周期を基に映像信号中のフリッカ補正を行うことは、前記第１の実施形態と同様である。
【００６１】
第５の実施形態の撮像装置によれば、フリッカ検出のサンプル数不足による誤検出を防ぐことができる。なお、フリッカ検出候補枠が垂直方向に途切れた場合、前記第３、第４の実施形態のように、露出を維持したままアイリスを開放にしたり、シャッタ速度を遅くしたりしてもよい。これにより、前記第３、第４の実施形態と同様の効果が得られ、フリッカ検出候補枠が垂直方向に途切れる機会を減らすことができる。
【００６２】
なお、本発明は、上記実施形態の構成に限られるものではなく、特許請求の範囲で示した機能、または本実施形態の構成が持つ機能が達成できる構成であればどのようなものであっても適用可能である。
【図面の簡単な説明】
【００６３】
【図１】第１の実施形態における撮像装置の構成を示す図である。
【図２】周波数成分検出回路１０７によって複数の枠に分割され、この枠内の周波数成分が一定周波数以下であることが分かるように区別された画面を示す図である。
【図３】一定周波数以下の枠の数が図２と異なることが分かるように区別された画面を示す図である。
【図４】フリッカ検出動作手順を示すフローチャートである。
【図５】第２の実施形態におけるフリッカ検出動作手順を示すフローチャートである。
【図６】第３の実施形態におけるフリッカ検出動作手順を示すフローチャートである。
【図７】第４の実施形態におけるフリッカ検出動作手順を示すフローチャートである。
【図８】第５の実施形態におけるフリッカ検出動作手順を示すフローチャートである。
【図９】画面中の上下方向の輝度のうねりとして現れるフリッカを示す図である。
【符号の説明】
【００６４】
１０２  アイリス・シャッタ
１０３  アイリス・シャッタ駆動回路
１０４  撮像素子
１０６  ＴＧ（タイミング発生器）
１０７  周波数成分検出回路
１０８  フリッカ検出回路
１０９  フリッカ補正回路
１１１  システムコントローラ
【図１】
2009194835.tif 000003
【図２】
2009194835.tif 000004
【図３】
2009194835.tif 000005
【図４】
2009194835.tif 000006
【図５】
2009194835.tif 000007
【図６】
2009194835.tif 000008
【図７】
2009194835.tif 000009
【図８】
2009194835.tif 000010
【図９】
2009194835.tif 000011